(57)【要約】【課題】複数のバッグを一体にして使用しつつ、その収容性の低下を防止することのできるショルダーバッグの提供。【解決手段】肩掛け用ストラップ２を有するバッグ本体３を設ける。手提げハンドルを有する手提げバッグ５を設ける。手提げバッグ５をバッグ本体３の下部外側を下方から覆うよう取り付ける。手提げバッグ５と一体化したバッグ本体３に、直接に物品を収納する。バッグ本体３の肩掛け用ストラップ２を肩に掛けてショルダーバッグ１を持つ。手提げバッグ５に物品の重みを負荷させず、皴の形成などを防止する。【選択図】  図１
2019216788.tif 000002
【特許請求の範囲】
【請求項１】
肩掛け用ストラップを有するバッグ本体と、手提げハンドルを有する手提げバッグとを備え、前記手提げバッグは、前記バッグ本体の下部外側を下方から覆うよう取り付け可能とされたことを特徴とするショルダーバッグ。
【請求項２】
前記手提げバッグは、開口部を内向きに折り返してバッグ本体に取り付けられることを特徴とする請求項１に記載のショルダーバッグ。
【請求項３】
前記バッグ本体の外側と手提げバッグの開口部又は折返部の周縁とに、互いに対をなすオス・メスのホックボタンが設けられたことを特徴とする請求項１又は２に記載のショルダーバッグ。
【請求項４】
前記バッグ本体に、手提げバッグの開口部又は折返部の周縁を外側から覆う覆い片が設けられ、該覆い片に、前記対をなすホックボタンのうちの一方が設けられたことを特徴とする請求項３に記載のショルダーバッグ。
【請求項５】
手提げバッグの開口部又は折返部の周縁に、前記肩掛け用ストラップを連結する連結リングが設けられたことを特徴とする請求項１、２、３又は４に記載のショルダーバッグ。
【発明の詳細な説明】
【技術分野】
【０００１】
本発明は、肩掛け用ストラップを有するバッグ本体に、手提げハンドルを有する手提げバッグを重ねて使用可能なショルダーバッグに関するものである。
【背景技術】
【０００２】
一般に、バッグ本体の中に補助袋としての内袋を収容したバッグが数多く用いられており、さらに、特許文献１には、それぞれ単独で使用することのできる第一及び第二のバッグを設けて、その第一のバッグに第二のバッグを収容して使用するようにしたバッグを開示している。
【先行技術文献】
【特許文献】
【０００３】
【特許文献１】特開２０１３−２０２０９７号公報
【発明の概要】
【発明が解決しようとする課題】
【０００４】
ところが、特許文献１のバッグは、第一のバッグに第二のバッグを収容して使用するものであり、手に提げたり肩に掛けたりする第一のバッグの内側に第二のバッグを固定して、この第二のバッグに各種物品を収納することになる。この場合、第二のバッグは、第一のバッグを介して不安定に支持されるので、収納した物品の重さにより、皴が形成されるなどして形状が変形し、その内側への物品の収容性を低下させるおそれがある。
【０００５】
本発明は、複数のバッグを一体にして使用しつつ、その収容性の低下を防止することのできるショルダーバッグの提供を目的とする。
【課題を解決するための手段】
【０００６】
上記目的を達成するために、本発明に係るショルダーバッグは、肩掛け用ストラップを有するバッグ本体と、手提げハンドルを有する手提げバッグとを備え、その手提げバッグをバッグ本体の下部外側を下方から覆うよう取り付け可能としたものである。
【０００７】
上記構成によれば、手提げバッグをバッグ本体に下方から取り付け可能とするので、手提げバッグと一体化したバッグ本体に、直接に物品を収納することができる。これにより、バッグ本体の肩掛け用ストラップを肩に掛けてショルダーバッグを持った際、バッグ本体を介して手提げバッグを支持することになるものの、その手提げバッグには物品の重みが負荷されず、皴の形成などによるショルダーバッグの収容性の低下を防止することができる。
【０００８】
また、手提げバッグを、開口部を内向きに折り返してバッグ本体に取り付けるようにしてもよい。
【０００９】
この構成によると、手提げバッグの開口部を内向きに折り返すので、単独で使用する際の手提げバッグの容量を大きく設定しつつ、それよりも小さいバッグ本体に取り付けることができる。しかも、手提げバッグの開口部を内向きに折り返すことにより、手提げハンドルを手提げバッグの内側に隠すことができ、バッグ本体の外側に手提げバッグを取り付けたショルダーバッグの外観性を向上させることができる。
【００１０】
また、バッグ本体の外側と手提げバッグの開口部又は折返部の周縁とに、互いに対をなすオス・メスのホックボタンを設けるようにしてもよい。
【００１１】
この構成によると、ホックボタンを用いて、手提げバッグの開口部又は折返部の周縁をバッグ本体に簡単に取り付けることができ、バッグ本体に取り付けた手提げバッグの開口部や折返部が捲れて垂れ下がるのを阻止して、ショルダーバッグの外観性を向上させることができる。
【００１２】
また、バッグ本体に、手提げバッグの開口部又は折返部の周縁を外側から覆う覆い片を設け、この覆い片に、対をなすホックボタンのうちの一方を設けるようにしてもよい。
【００１３】
この構成によると、手提げバッグの開口部又は折返部の周縁を外側から覆い片で覆うので、バッグ本体に取り付けた手提げバッグの開口部又は折返部に手などが引っ掛かってホックボタンが外れるのを防止することができる。
【００１４】
また、手提げバッグの開口部又は折返部の周縁に、肩掛け用ストラップを連結する連結リングを設けるようにしてもよい。
【００１５】
この構成によると、手提げバッグに、バッグ本体の肩掛け用ストラップを連結する連結リングを設けるので、肩掛け用ストラップ及び連結リングを介して、バッグ本体と手提げバッグとを一体化することができる。これにより、バッグ本体に収納した物品の重さによってバッグ本体が変形したとしても、それに追随させて手提げバッグを変形させることができ、バッグ本体と手提げバッグとの間に隙間が形成されて外観性が損なわれるのを防止することができる。
【発明の効果】
【００１６】
以上のとおり、本発明によると、手提げバッグを下方からバッグ本体に取り付けることにより、バッグ本体に手提げバッグを一体化しつつ、そのバッグ本体に直に物品を収納するようにしている。これにより、バッグ本体及び手提げバッグを一体にしたショルダーバッグとして使用しつつ、その手提げバッグに物品の重みが負荷されることによる皴の形成などを阻止して、ショルダーバッグの収容性の低下を防止することができる。
【図面の簡単な説明】
【００１７】
【図１】本発明に係るショルダーバッグの斜視図
【図２】バッグ本体の斜視図
【図３】手提げバッグの斜視図
【図４】開口部を内向きに折り返した状態を示す手提げバッグの斜視図
【図５】手提げバッグの折返部を覆い片で覆う前の状態を示す斜視図
【発明を実施するための形態】
【００１８】
以下、本発明に係るショルダーバッグを実施するための形態について、図面を用いて説明する。
【００１９】
図１〜図３に示すように、ショルダーバッグ１は、肩掛け用ストラップ２を有するバッグ本体３に、手提げハンドル４を有する手提げバッグ５を組み合わせたものであり、手提げバッグ５の開口部６を内向きに折り返して、その折返部７の周縁とバッグ本体３の外側とに、互いに対をなすオス・メスのホックボタン８、９を設け、このホックボタン８、９を用いて、バッグ本体３に、その下部外側を下方から覆うように手提げバッグ５を取り付けたものである。
【００２０】
図２に示すように、バッグ本体３は、各種物品を収納する袋部１０に肩掛け用ストラップ２を取り付けてなり、単独で、ショルダーバッグとしての機能を有すると共に、ショルダーバッグとして使用するためのデザインを施されたものである。袋部１０は、その開口部１１をファスナー１２によって開閉自在とされると共に、開口部１１の両外端部に設けられた連結リング１３に肩掛け用ストラップ２の端部を連結されている。
【００２１】
袋部１０の外面側には、開口部１１の周縁に沿うように帯状片が配置され、この帯状片の上縁を袋部１０の外面に縫着されて、手提げバッグ５の折返部７の周縁を上方かつ外側から覆う覆い片１４を構成している。覆い片１４には、ホックボタン８、９のうちのメスのホックボタン９が設けられ、これを手提げバッグ５のオスのホックボタン８に嵌め合わせることにより、手提げバッグ５の折返部７を覆う覆い片１４が手提げバッグ５を取り付けられる取付部としても機能する。
【００２２】
図３に示すように、手提げバッグ５は、バッグ本体３の袋部１０の略２倍の高さに設定されて、その開口部６の周縁部に手提げハンドル４が縫着され、単独で、手提げバッグとしての機能を有している。この手提げバッグ５は、高さ方向で中央付近に折返部７が設定されて、この折返部７よりもわずかに下方にオスのホックボタン８が設けられ、折返部７の周縁のうちの両外端部に肩掛け用ストラップ２を連結する連結リング１５が設けられている。
【００２３】
図４に示すように、手提げバッグ５は、バッグ本体３に取り付ける際、その手提げハンドル４を内側に隠すように、折返部７の位置で開口部６を内向きに折り返され、バッグ本体３の袋部１０よりもわずかに高さの低い袋状に構成される。
【００２４】
図５に示すように、折り返された手提げバッグ５は、バッグ本体３の下部外側を覆うように、バッグ本体３に下方から被せられる。手提げバッグ５の連結リング１５をバッグ本体３の連結リング１３に重ねて、両方の連結リング１３、１５に肩掛け用ストラップ２の端部を連結することにより、肩掛け用ストラップ２を介して、バッグ本体３に手提げバッグ５が取り付けられる。
【００２５】
図５の状態から、袋部１０の覆い片１４を手提げバッグ５の折返部７の周縁に重ねて覆うと共に、覆い片１４のメスのホックボタン９を手提げバッグ５のオスのホックボタン８に嵌め合わせる。これにより、バッグ本体３に手提げバッグ５が取り付けられ、ショルダーバッグ１が構成される。
【００２６】
上記構成によれば、手提げバッグ５をバッグ本体３に下方から取り付けるので、ショルダーバッグ１のうちのバッグ本体３に、直接に物品を収納することができる。これにより、肩掛け用ストラップ２を肩に掛けてショルダーバッグ１を持った際、バッグ本体３に取り付けた手提げバッグ５には物品の重みが負荷されず、皴の形成などによるショルダーバッグ１の収容性の低下を防止することができる。
【００２７】
また、手提げバッグ５の折返部７の周縁を外側から覆い片１４で覆うので、バッグ本体３に取り付けた手提げバッグ５の折返部７に手などが引っ掛かってホックボタン８、９が外れるのを防止することができる。
【００２８】
また、手提げバッグ５の連結リング１５をバッグ本体３の連結リング１３に重ねて肩掛け用ストラップ２を連結するので、肩掛け用ストラップ２及び連結リング１３、１５を介して、バッグ本体３と手提げバッグ５とを一体化することができる。これにより、バッグ本体３が収納した物品の重さによって変形したとしても、それに追随させて手提げバッグ５を変形させることができ、バッグ本体３と手提げバッグ５との間に隙間が形成されてショルダーバッグ１の外観性が損なわれるのを防止することができる。
【００２９】
なお、本発明は、上記の実施の形態に限定されるものではなく、本発明の範囲内において、適宜変更を加えることができる。例えば、手提げバッグ５には、必ずしも連結リング１５を設ける必要はなく、バッグ本体３には、必ずしも覆い片を設ける必要はない。また、バッグ本体３に手提げバッグ５を取り付けるには、ホックボタン８、９に代えて、留め金や面ファスナーなどの他の手段を用いることもできる。また、手提げバッグ５は、開口部６を内向きに折り返す代わりに、その高さをバッグ本体３よりも小さく設定しておき、折り返すことなく、そのままバッグ本体３に取り付けるようにしてもよい。
【符号の説明】
【００３０】
１      ショルダーバッグ
２      肩掛け用ストラップ
３      バッグ本体
４      手提げハンドル
５      手提げバッグ
６      開口部
７      折返部
８      ホックボタン（オス）
９      ホックボタン（メス）
１０    袋部
１１    開口部
１２    ファスナー
１３    連結リング
１４    覆い片
１５    連結リング
【図１】
2019216788.tif 000003
【図２】
2019216788.tif 000004
【図３】
2019216788.tif 000005
【図４】
2019216788.tif 000006
【図５】
2019216788.tif 000007